(57)【特許請求の範囲】
【請求項１】
扉面に金銭処理機器を装着した操作部、およびその輪郭の一部が前記操作部の上部，側部を迂回するように段付き形状に形成されたディスプレイ室を画成した自動販売機の扉装置であり、前記ディスプレイ室の前面には扉板に窓部を開口してその裏面側から一枚の透明な樹脂板からなる電照板を被着したものにおいて、前記扉板の窓枠に一体に形成され、前記ディスプレイ室，および電照板の前面を横切って前記操作部に連なる連結フレーム部を設け、該連結フレーム部を境にディスプレイ室の窓部を上下に分割したことを特徴とする自動販売機の扉装置。
【請求項２】
請求項１記載の扉装置において、連結フレーム部の裏面に取付金を設け、該取付金と商品選択ボタンの取付金との間を補強金を介して連結したことを特徴とする自動販売機の扉装置。
【請求項３】
請求項１記載の扉装置において、連結フレーム部の裏面に取付金を設け、該取付金と電照板を挟んでその裏面側に対峙する商品選択ボタンの取付金との間をねじで共締めしたことを特徴とする自動販売機の扉装置。
【発明の詳細な説明】
【０００１】
【発明の属する技術分野】
本発明は自動販売機の扉装置に関する。
【０００２】
【従来の技術】
まず、図４に自動販売機の正面図を示し、図中の矢視断面図を図５(a）〜(c) に、また電照板の正面図を図６に示す。図において、１は自動販売機のキャビネットの前面に配した片開き式の主扉であり、周知のように主扉１は鋼板を板金加工して作られたもので、その扉面にはコインメック２，ビルバリデータ３などの金銭処理機器を集中的に配置した操作部４、および見本商品５の陳列台６を備えたディスプレイ室７が画成されている。なお、図中で２ａはコイン投入口、３ａは紙幣投入口、８は商品取出口、９は釣銭返却口、１０は扉の錠付きハンドルである。
【０００３】
ここで、最近の自動販売機の傾向として、主扉１の扉面上にできるだけ広いディスプレイ室７を確保するために、ディスプレイ室７は図示のように輪郭の一部が操作部４の上部，側部を迂回するような段付き形状に画成したデザインが多く採用されている。そして、このディスプレイ室７のデザインに合わせて、主扉１の扉板に窓部を開口し、その窓部を覆って扉板の裏面側から電照板（透明な樹脂板）１１を被着しており、さらに電照板１１の前面には商品選択ボタン１２を装着している。なお、図５(a) 〜(c) において、１ａは電照板押さえ金、１ｂはパッキン、１２ａは電照板１１を挟んで商品選択ボタン１２の背後に配したチャンネル状の取付金、１２ｂは取付金１２ａと選択ボタン１２とを結合する締結ねじであり、該締結ねじ１２ｂは商品選択ボタン１２の配列に対応して電照板１１に穿孔した穴１１ａ（図６参照）を通して裏面側から選択ボタン１２，取付金１２ｂを電照板１１と共締めしている。
【０００４】
【発明が解決しようとする課題】
ところで、主扉１に操作部４，ディスプレイ室７を前記のようにレイアウトした自動販売機では、防盗性の面で次記のような問題点がある。
すなわち、昨今多発している自動販売機の金銭盗難事例から、図７(a) に示す自動販売機に対しバールなどを使って電照板１１の一部を突き破り、さらに図７(b) のようにディスプレイ室７側からコインメック，ビルバリデータの金庫を装備した操作部４の扉板を無理やり手前に引き曲げ（ディスプレイ室７に接する操作部４の角部が機械的に一番弱く破壊し易い）、ここに開口した穴部Ｐを突破口として扉の内側に備えた金庫から金銭を抜き取る手口が多く発生している。
【０００５】
そこで、本発明の課題は、扉面に画成した操作部，ディスプレイ室のレイアウト、並びに電照板の形状は変えずに、金銭処理機器を装備した操作部周辺を補強して防盗性の強化を図るように改良した自動販売機の扉装置を提供することを目的とする。
【０００６】
【課題を解決するための手段】
上記目的を達成するために、本発明によれば、扉面に金銭処理機器を装着した操作部、およびその輪郭の一部が前記操作部の上部，側部を迂回するように段付き形状に形成されたディスプレイ室を画成した自動販売機の扉装置であり、前記ディスプレイ室の前面には扉板に窓部を開口してその裏面側から一枚の透明な樹脂板からなる電照板を被着したものにおいて、前記扉板の窓枠に一体に形成され、前記ディスプレイ室，および電照板の前面を横切って前記操作部に連なる連結フレーム部を設け、該連結フレーム部を境にディスプレイ室の窓部を上下に分割した構成とする（請求項１）。
【０００７】
上記の構成によれば、連結フレーム部が補強部材となって金銭処理機器を装備した操作部の強度がアップし、特に電照板を突き破ってディスプレイ室側からバールなどで操作部の扉板を引き曲げて金庫から金銭を抜き取るような盗みの手口に対して防盗性の強化が図れる。
また、本発明によれば、前記連結フレーム部の強化手段として次記のような態様で構成することができる。
【０００８】
(1) 連結フレーム部の裏面に取付金を設け、該取付金と選択ボタンの取付金との間を補強金を介して連結する（請求項２）。
(2) 連結フレーム部の裏面に取付金を設け、該取付金と電照板を挟んでその裏面側に対峙する選択ボタンの取付金とを間をねじで共締めする（請求項３）。
【０００９】
【発明の実施の形態】
以下、本発明の実施の形態を図１〜図３に示す実施例に基づいて説明する。なお、実施例の図中で図４，図５に対応する部材には同じ符号を付してその詳細な説明は省略する。すなわち、図示実施例においては、主扉１の扉板に対して、該扉板に開口した窓部にはディスプレイ室７の前面を横切って左側の窓枠と操作部４の上端部との間を繋ぐように連結フレーム部１ｃが形成されている。この連結フレーム部１ｃは、主扉１の扉板にディスプレイ室７の窓部をプレス加工する際に、扉板に残して形成するようにしたものであり、コインメック２，ビルバリデータ３などの金銭処理機器を装備した操作部４を補強する横梁としての機能の他に、連結フレーム部１ｃを境にして、ディスプレイ室７を商品陳列台６，商品選択ボタン１２を配置した上部ディスプレイ室７Ａと、商品の広告などに用いる下部ディスプレイ室７Ｂとに分割する仕切枠としての役目も果たす。なお、電照板１１は図６に示した形状と同じ仕様の標準品をそのまま採用している。
【００１０】
かかる構成によれば、図７（ａ），（ｂ）で述べたような手口で操作部４の扉板を引き曲げようとしても、連結フレーム部１ｃがこれを邪魔して操作部が簡単に破壊されず、これにより防盗性が向上する。次に、前記の連結フレーム部１ｃを補強して防盗性をさらに強化した応用実施例を図２，図３で説明する。
【００１１】
まず、図２の実施例では、連結フレーム部１ｃの長手方向に沿ってその裏面側に断面Ｚ字形の取付金１ｃ-1を溶接接合するとともに、ディスプレイ室７の下段に並ぶ商品選択ボタン１２と電照板１１との間に先端が下方に延びた補強金１３を挟んで電照板１１の裏面側からねじ１２ｂにより取付金１２ａと結合する。そして、組立時に前記補強金１３の先端を連結フレーム部１ｃとその裏面側に溶接した取付金１ｃ-1との間に差し込んで連結フレーム部１ｃを裏側から支え、連結フレーム部１ｃが簡単に前方へ引き曲げられないようにしている。
【００１２】
一方、図３の実施例では、連結フレーム部１ｃの裏面側に図２と同様な取付金１ｃ-1を溶接接合するとともに、電照板１１の裏側に配した最下段の商品選択ボタン１２の取付金１２ａを連結フレーム部１ｃの取付金１ｃ-1と電照板１１を挟んで対峙する位置まで下方に延長し、この位置で裏面からねじ１４を電照板１１に穿孔したねじ通し穴１１ｂを通して取付金１ｃ-1，１２ａおよび電照板１１を共締め固定するようにしている。なお、この実施例では、図６に示した電照板１１に対して、商品選択ボタン１２の取付穴１１ａとは別に、図示のような位置に前述したねじ通し穴１１ｂを追加穿孔して使用するものとする。
【００１３】
この実施例により、図２と同様に連結フレーム部１ｃを裏面側から支えて補強できるほか、図３の構造ではねじ１４により電照板１１が主扉１の一部である連結フレーム部１ｃに固定されてこの位置から上下，左右に動かないように支持されるため、図５における電照板押さえ金１ａの先端に屈曲形成したストッパ片１ａ-1が省略でき、これにより板金加工の工数を削減できる。
【００１４】
【発明の効果】
以上述べたように、本発明の構成によれば、扉板の窓枠に一体に形成され、前記扉板の窓部にディスプレイ室，および電照板の前面を横切って前記操作部に連なる連結フレーム部を設けたことにより、主扉の扉面に画成した操作部，ディスプレイ室のレイアウトを基本的に変えることなく、かつディスプレイ室の前面に配した電照板は従来品と同一仕様のものを採用しつつ、コインメック，ビルバリデータなどの金銭処理機器を装備した操作部を補強して防盗性の向上化が図れる。
【００１５】
また、前記の連結フレーム部を形成することにより、一枚板の電照板を使用しつつ連結フレーム部を境にディスプレイ室の窓部が上下に分割されので、これにより上部ディスプレイ室を商品見本の陳列室、下部ディスプレイ室を商品の広告専用に使い分けるなど、ディスプレイ室の展示効果アップにも有効である。
【図面の簡単な説明】
【図１】本発明の実施例による主扉を装備した自動販売機の正面図
【図２】本発明の応用実施例を示す構造図であり、(a),(b) はそれぞれ図１の矢視Ａ−Ａ，および矢視Ｂ−Ｂの断面図
【図３】本発明のさらに異なる応用実施例の構造図で、図１の矢視Ｂ−Ｂの断面図
【図４】従来の主扉を装備した自動販売機の正面図
【図５】図４に示した主扉の構造部分図であり、(a),(b),(c) はそれぞれ図４における矢視Ａ−Ａ，Ｂ−Ｂ，およびＣ−Ｃの断面図
【図６】図４の主扉に組付けた電照板の正面図
【図７】図５の自動販売機に対する金銭抜き取り盗難手口の説明図であり、(a),(b) はそれぞれ電照板を突き破った状態，操作部の扉板を引き曲げた破壊状態を表す自動販売機の外観図
【符号の説明】
１    主扉
１ｃ  連結フレーム部
２    コインメック
３    ビルバリデータ
４    操作部
７    ディスプレイ室
１１    電照板
１２    商品選択ボタン
１３    補強金
１４    連結フレーム部を固定するねじ
【図１】
0004214439.tif 000002
【図２】
0004214439.tif 000003
【図３】
0004214439.tif 000004
【図４】
0004214439.tif 000005
【図５】
0004214439.tif 000006
【図６】
0004214439.tif 000007
【図７】
0004214439.tif 000008